(57)【要約】【課題】弁当を確実に加温することができる発熱具を備えた弁当箱を提供すること。【解決手段】上面が開口し、手前側に下記の長尺状開封具の引き出しを可能にする孔部を有する箱体、箱体の底部に収容されている発熱具、発熱具の上に配置されている食品トレイ、そして箱体の開口を塞ぐ蓋体からなり、上記の発熱具が、水との接触により発熱する発熱剤が封入されている、上面が易引裂性の水不透性フィルムで形成された水密容器、この水不透性フィルムの上に接合固定されている易引裂性袋体に水が収容されてなる水袋、そして水密容器の水不透性フィルムと水袋との間に水不透性フィルムの表面に接合された状態で配置され、一方の端部が、箱体、水密容器もしくは水袋の手前側に固定され、他方の端部が水袋の後方側にて折り曲げられた後、箱体の手前側の上記孔部に通されて箱体の外部に突出している長尺状開封具を含むことを特徴とする発熱具を備えた弁当箱。【選択図】図１
2007259966.tif 000002
【特許請求の範囲】
【請求項１】
上面が開口し、手前側に下記長尺状開封具の引き出しを可能にする孔部を有する箱体、該箱体の底部に収容されている発熱具、該発熱具の上に配置されている食品トレイ、そして該箱体の開口を塞ぐ蓋体からなり、上記発熱具が、水との接触により発熱する発熱剤が封入されている、上面が易引裂性の水不透性フィルムで形成された水密容器、該水不透性フィルムの上に接合固定されている易引裂性袋体に水が収容されてなる水袋、そして水密容器の水不透性フィルムと水袋との間に水不透性フィルムの表面に接合された状態で配置され、一方の端部が、箱体、水密容器もしくは水袋の手前側に固定され、他方の端部が水袋の後方側にて折り曲げられた後、箱体の手前側の上記孔部に通されて箱体の外部に突出している長尺状開封具を含むことを特徴とする発熱具を備えた弁当箱。
【請求項２】
長尺状開封具がテープ状の開封具である請求項１に記載の発熱具を備えた弁当箱。
【請求項３】
テープ状の開封具が３乃至４０ｍｍの範囲の幅を有する請求項２に記載の発熱具を備えた弁当箱。
【請求項４】
テープ状の開封具の表面に、文字及び／又は符号からなるメッセージが表示されている請求項２もしくは３に記載の発熱具を備えた弁当箱。
【請求項５】
孔部が箱体の手前側の壁体の上辺より切り込まれた切り込みである請求項１乃至４のうちのいずれかの項に記載の発熱具を備えた弁当箱。
【請求項６】
水密容器の易引裂性の水不透性フィルムがアルミニウム箔である請求項１乃至５のうちのいずれかの項に記載の発熱具を備えた弁当箱。
【請求項７】
水不透性フィルムと易引裂性袋体との接合が、長尺状開封具に近接並行して配置された両面接着テープによる接着によりなされている請求項１乃至６のうちのいずれかの項に記載の発熱具を備えた弁当箱。
【請求項８】
食品トレイの底部に多数の水蒸気透過性孔部が形成されている請求項１乃至７のうちのいずれかの項に記載の発熱具を備えた弁当箱。
【請求項９】
発熱剤が生石灰粉末とアルミニウム粉末との混合物からなる請求項１乃至８のうちのいずれかの項に記載の発熱具を備えた弁当箱。
【請求項１０】
水との接触により発熱する発熱剤が封入されている、上面が易引裂性の水不透性フィルムで形成された水密容器、該水不透性フィルムの上に接合固定されている易引裂性袋体に水が収容されてなる水袋、そして水密容器の水不透性フィルムと水袋との間に水不透性フィルムの表面に接合された状態で配置され、一方の端部が、水密容器もしくは水袋の手前側に固定され、他方の端部が水袋の後方側から突き出され、その突き出された部分の長さが水密容器の前後方向の長さよりも大きい長尺状開封具を含む発熱具。
【請求項１１】
長尺状開封具がテープ状の開封具である請求項１０に記載の発熱具。
【請求項１２】
テープ状の開封具が３乃至４０ｍｍの範囲の幅を有する請求項１１に記載の発熱具。
【請求項１３】
テープ状の開封具の表面に、文字及び／又は符号からなるメッセージが表示されている請求項１１もしくは１２に記載の発熱具。
【請求項１４】
水密容器の易引裂性の水不透性フィルムがアルミニウム箔である請求項１０乃至１３のうちのいずれかの項に記載の発熱具。
【請求項１５】
水不透性フィルムと易引裂性袋体との接合が、長尺状開封具に近接並行して配置された両面接着テープによる接着によりなされている請求項１０乃至１４のうちのいずれかの項に記載の発熱具。
【請求項１６】
発熱剤が生石灰粉末とアルミニウム粉末との混合物からなる請求項１０乃至１５のうちのいずれかの項に記載の発熱具。                                                                               
【発明の詳細な説明】
【技術分野】
【０００１】
本発明は、発熱具を備えた弁当箱に関する。
【背景技術】
【０００２】
従来より、食前に弁当（例、駅弁）を加温するための発熱具を備えた弁当箱は知られている。このような弁当箱は、上面が開口している箱体、この箱体の底部に収容されている発熱具、この発熱具の上に配置されている食品トレイ、そして箱体の開口を塞ぐ蓋体などから構成されている。
【０００３】
通常、前記の弁当箱の発熱具としては、水との接触により発熱する発熱剤（例、生石灰）が封入されている水不透性の発熱剤袋（水密容器）と、この発熱剤用の水を封入した水袋とが重ねて配置され、これらの袋を切り裂くために用いる紐（長尺状開封具）を備えた構成の発熱具が使用されている。この発熱具は、弁当箱の箱体の底部に収容され、そして発熱剤袋と水袋とを切り裂くために用いる紐の一方の端部の側は、箱体に形成された孔部から弁当箱の外部に引き出される。
【０００４】
そして、使用者（弁当を食べる者）が、食前に弁当箱の外部に引き出された紐を引っ張ることにより、弁当箱の内部で発熱剤袋と水袋との両者が紐により切り裂かれ、そして発熱剤と水とが接触そして反応することにより発生した熱あるいは水蒸気によって弁当が加温される。このような構成の発熱具を備えた弁当箱は、例えば、特許文献１に記載されている。
【０００５】
一方、特許文献２では、上記の発熱具は、発熱剤袋と水袋との両者を切り裂く場合に、生石灰等の固形の発熱剤を入れた発熱剤袋を紐により切り裂く際の抵抗が大きいために、使用者が発熱剤袋（及び水袋）が十分に切り裂かれる前に紐を引っ張ることをやめてしまい、弁当を十分に加温できない恐れがあると記載されている。
【０００６】
このような問題を解決するために、同文献においては、発熱剤（水密性の袋に封入されていないもの）と水袋とを収容したケースの開口部に防湿シート及び水蒸気透過シートを貼り付けた構成の発熱具（発熱ユニット）が提案されている。
【０００７】
上記の発熱具では、防湿シートに形成された孔部を通して外部に引き出された紐を引っ張ることにより、水袋（及び防湿シート）が切り裂かれ、これによりケースに収容されている発熱剤と水とを反応させる。そして、このような構成の発熱具は、発熱剤袋を切り裂く必要がないために紐を引っ張る際の抵抗が小さいので、使用者によって確実に水袋が切り裂かれ、弁当を確実に加温することができるとされている。
【特許文献１】特開平１１−２９２１５５号公報
【特許文献２】特開２００２−３６０４３９号公報
【発明の開示】
【発明が解決しようとする課題】
【０００８】
前記の特許文献２の発熱具を用いることにより、使用者が弁当箱の外部に引き出された紐を引っ張ることで弁当を確実に加温することができる。しかしながら、この発熱具は、ケース内に収容された水袋にピンホールが存在したり、弁当箱に組み込む際に誤って紐に力が加わるなどして水袋の水が漏れた場合に、その水袋の水漏れをケースの外部から見つけ難いという問題を有している。
【０００９】
また、同文献の発熱具においては、水袋を切り裂く紐が、ケース開口部に貼り付けられた防湿シートの孔部を通して外部に引き出されている。このため、発熱具を長期保管中に空気中の水分が防湿シートの孔部からケース内部に侵入し、この水分が発熱剤と接触して反応してしまう恐れがある。
【００１０】
発熱具に上記のような水漏れや、発熱剤と空気中の水分との反応を生じていた場合には、使用者が弁当箱の紐を引っ張っても、既に発熱剤と水との反応が進んでいたり、あるいは終了しているために、弁当を確実に加温できないという不具合を生じる。
【００１１】
本発明の目的は、弁当を確実に加温することができる発熱具を備えた弁当箱を提供することにある。
本発明の目的はまた、水袋の確実な開封及び水漏れの検出が容易で、そして長期保管性に優れる発熱具を提供することにもある。
【課題を解決するための手段】
【００１２】
本発明は、上面が開口し、手前側に下記の長尺状開封具の引き出しを可能にする孔部を有する箱体、箱体の底部に収容されている発熱具、発熱具の上に配置されている食品トレイ、そして箱体の開口を塞ぐ蓋体からなり、上記の発熱具が、水との接触により発熱する発熱剤が封入されている、上面が易引裂性の水不透性フィルムで形成された水密容器、この水不透性フィルムの上に接合固定されている易引裂性袋体に水が収容されてなる水袋、そして水密容器の水不透性フィルムと水袋との間に水不透性フィルムの表面に接合された状態で配置され、一方の端部が、箱体、水密容器もしくは水袋の手前側に固定され、他方の端部が水袋の後方側にて折り曲げられた後、箱体の手前側の上記孔部に通されて箱体の外部に突出している長尺状開封具を含むことを特徴とする発熱具を備えた弁当箱にある。
【００１３】
本発明の発熱具を備えた弁当箱の好ましい態様は次の通りである。
（１）長尺状開封具がテープ状の開封具である。
（２）テープ状の開封具が３乃至４０ｍｍの範囲の幅を有する。
（３）テープ状の開封具の表面に、文字及び／又は符号からなるメッセージが表示されている。
（４）孔部が箱体の手前側の壁体の上辺より切り込まれた切り込みである。
（５）水密容器の易引裂性の水不透性フィルムがアルミニウム箔である。
（６）水不透性フィルムと易引裂性袋体との接合が、長尺状開封具に近接並行して配置された両面接着テープによる接着によりなされている。
（７）食品トレイの底部に多数の水蒸気透過性孔部が形成されている。
（８）発熱剤が生石灰粉末とアルミニウム粉末との混合物からなる。
【００１４】
本発明はまた、水との接触により発熱する発熱剤が封入されている、上面が易引裂性の水不透性フィルムで形成された水密容器、この水不透性フィルムの上に接合固定されている易引裂性袋体に水が収容されてなる水袋、そして水密容器の水不透性フィルムと水袋との間に水不透性フィルムの表面に接合された状態で配置され、一方の端部が、水密容器もしくは水袋の手前側に固定され、他方の端部が水袋の後方側から突き出され、その突き出された部分の長さが水密容器の前後方向の長さよりも大きい長尺状開封具を含む発熱具にもある。
【００１５】
本発明の発熱具の好ましい態様は、次の通りである。
（１）長尺状開封具がテープ状の開封具である。
（２）テープ状の開封具が３乃至４０ｍｍの範囲の幅を有する。
（３）テープ状の開封具の表面に、文字及び／又は符号からなるメッセージが表示されている。
（４）水密容器の易引裂性の水不透性フィルムがアルミニウム箔である。
（５）水不透性フィルムと易引裂性袋体との接合が、長尺状開封具に近接並行して配置された両面接着テープによる接着によりなされている。
（６）発熱剤が生石灰粉末とアルミニウム粉末との混合物からなる。
【発明の効果】
【００１６】
本発明の弁当箱が備える発熱具は、発熱剤を封入した水密容器の上に水を封入した水袋が配置された構成を有している。このため、水袋にピンホールが存在したり、弁当箱に組み込む際に誤って長尺状開封具に力が加わるなどして水袋の水が漏れた場合でも、この水漏れを目視で容易に検出することができる。そして、本発明の発熱具は、発熱剤の水密容器への封入状態が良好であり（特許文献２の発熱具のように、発熱剤が封入されるケースの防湿フィルムに長尺状開封具を通すための孔部を形成する必要がなく）、発熱剤と空気中の水分との接触そして反応が十分に抑制されているため、長期保管性に優れている。
【００１７】
また、本発明の発熱具では、長尺状開封具により発熱剤が封入された水密容器をその上面の水不透性フィルムを水袋と共に切り裂いて両者を開封し、これにより水不透性フィルムに形成された開口から水を直接に水密容器に入れ、この水と発熱剤とを接触そして反応させる。すなわち、特許文献１の発熱具のように、発熱剤が封入された発熱剤袋の全体を引き裂く必要がない。従って、本発明の発熱具は、その長尺状開封具を引っ張る抵抗が小さいために、使用者に確実に水袋を開封させ、これにより発熱剤と水とを接触させ確実に反応を進行させることができる。
【００１８】
そして、上記の発熱具を備えた本発明の弁当箱は、その内部に発熱具を組み込む際に水袋の水漏れの有無の検出（発熱具の不良品の排除）が容易で、長期保管中の発熱剤と空気中の水分との反応が十分に抑制され、そして使用者に確実に水袋を開封させることができるため、弁当を確実に加温することができる。
【発明を実施するための最良の形態】
【００１９】
本発明の発熱具を備えた弁当箱を、添付の図面を用いて説明する。図１は、本発明の発熱具を備えた弁当箱の構成例を示す分解斜視図である。図２は、図１の弁当箱１０が備える発熱具１３の斜視図であり、そして図３は、図２に記入した切断線III−III線に沿って切断した発熱具１３の断面図である。
【００２０】
図１に示す発熱具を備えた弁当箱１０は、上面が開口し、手前側に下記の長尺状開封具２２の引き出しを可能にする孔部１１を有する箱体１２、箱体１２の底部に収容されている発熱具１３、発熱具１３の上に配置されている食品トレイ１４、そして箱体１２の開口を塞ぐ蓋体１５から構成されており、上記の発熱具１３が、水との接触により発熱する発熱剤１６が封入されている、上面が易引裂性の水不透性フィルム１７で形成された水密容器１８、水不透性フィルム１７の上に接合固定されている易引裂性袋体１９に水２０が収容されてなる水袋２１、そして水密容器１８の水不透性フィルム１７と水袋２１との間に水不透性フィルム１７の表面に接合された状態で配置され、一方の端部が水密容器１８の手前側に固定され、他方の端部が水袋２１の後方側にて折り曲げられた後、箱体１２の手前側の上記孔部１１に通されて箱体１２の外部に突出している長尺状開封具２２を含むことに特徴がある。
【００２１】
本明細書において「手前側」とは、開封具を引き出す側、すなわち図１に示す箱体１２の孔部１１の側を意味しており、そして「後方側」とは、箱体１２の孔部１１が形成された壁体と対向している壁体の側を意味している。すなわち、図３においては、図の右側が「手前側」であり、そして図の左側が「後方側」である。
【００２２】
弁当箱１０が備える発熱具（本発明の発熱具）１３は、図２及び図３に示すように、水との接触により発熱する発熱剤１６が封入されている、上面が易引裂性の水不透性フィルム１７で形成された水密容器１８、水不透性フィルム１７の上に接合固定されている易引裂性袋体１９に水２０が収容されてなる水袋２１、そして水密容器１８の水不透性フィルム１７と水袋２１との間に水不透性フィルム１７の表面に接合された状態で配置され、一方の端部が、水密容器１８の手前側に固定され、他方の端部が水袋２１の後方側から突き出され、その突き出された部分の長さが水密容器１８の前後方向の長さ（図３における左右方向の長さ）よりも大きい長尺状開封具２２から構成されている。
【００２３】
発熱具１３は、図１及び図６に示すように長尺状開封具２２の端部が箱体１２の手前側の孔部１１に通されて箱体の外部に突き出された状態にて、箱体１２の底部に収容される。そして弁当箱１０は、使用者が弁当箱の外部に突き出された長尺状開封具２２の端部あるいはその近傍の部分を引っ張ることにより発熱具１３が発生する熱あるいは水蒸気によって、食品トレイ１４に入れた弁当を加温する。
【００２４】
図１から図３に示すように、発熱具１３は、発熱剤１６を封入した水密容器１８の上に水２０を封入した水袋２１が配置された構成を有している。このため、水袋２１にピンホールが存在したり、弁当箱１０に組み込む際に誤って長尺状開封具２２に力が加わるなどして水袋２１の水２０が漏れた場合でも、この水漏れを目視で容易に見つけ出すことができる。そして、発熱具１３は、発熱剤１６の水密容器１８への封入状態が良好であり（特許文献２の発熱具のように、発熱剤が封入されるケースの防湿フィルムに長尺状開封具を通すための孔部を形成する必要がなく）、発熱剤１６と空気中の水分との反応が十分に抑制されているため、長期保管性に優れている。なお、図３に示すように、発熱剤１６は、その取り扱いを容易とするために、水透過性袋体（例、不織布から形成された袋）１６ａに収容されていてもよい。
【００２５】
このような構成の発熱具１３の長尺状開封具２２を図２に記入した矢印の方向に引っ張ると、開封具２２が接着剤（図３：２５ｂ）によって水不透性フィルム１７の表面に接合固定されているため、図４に示すように水不透性フィルム１７が引き裂かれて水密容器１８が開封される。
【００２６】
そして更に長尺状開封具２２を引っ張ると、水不透性フィルム１７が更に引き裂かれ、そして開封具２２が、接着剤（図３：２５ａ）によって水袋２１に固定され、この水袋２１が開封具２２に近接並行して配置された両面接着テープ（図１：２３）によって水不透性フィルム１７に接合固定されている（水不透性フィルム１７と易引裂性袋体１９との接合が、上記の両面接着テープ２３による接着によりなされている）ため、図５に示すように水袋２１の易引裂性袋体１９が引き裂かれて水袋が開封される。これにより水袋２１の易引裂性袋体１９に収容されている水２０が水密容器１８の容器本体１８ａの内部に流れ込み、そして発熱剤１６が容器本体１８ａの内部に流れ込んだ水と接触そして反応して発熱すると共に、この発熱によって水蒸気が発生する。
【００２７】
このように、発熱具１３は、長尺状開封具２２により発熱剤１６が封入された水密容器１８をその上面の水不透性フィルム１７を水袋２１と共に切り裂いて両者を開封し、これにより水不透性フィルム１７に形成された開口から水２０を直接に水密容器１８に入れ、この水と発熱剤とを接触させて反応させる。すなわち、前記の特許文献１の発熱具のように、発熱剤が封入された発熱剤袋の全体を引き裂く必要がない。従って、発熱具１３は、その長尺状開封具２２を引っ張る抵抗が小さいため、使用者に確実に水袋を開封させ、これにより発熱剤と水とを接触させ確実に反応を進行させることができる。
【００２８】
このような発熱具１３を備えた弁当箱１０は、その内部に発熱具１３を組み込む際に水袋２１の水漏れの有無の検出（発熱具の不良品の排除）が容易で、長期保管中の発熱剤１６と空気中の水分との反応が十分に抑制され、そして使用者に確実に水袋を開封させることができるため、弁当を確実に加温することができる。
【００２９】
図１に示す発熱具１３が備える長尺状開封具２２は、水密容器１８の上面の水不透性フィルム１７を開封するために、水不透性フィルムの表面に接合される。また、水不透性フィルム１７と共に水袋２１を切り裂いて開封するために、長尺状開封具２２は、水不透性フィルム１７と水袋２１との間に配置され、その一方の端部が水密容器（水密容器の水不透性フィルムの表面）１８の手前側に固定され、他方の端部が水袋２１の後方側にて折り曲げられた後、弁当箱１０の箱体１２の手前側の透孔１１に通されて箱体の外部に突き出される。なお、長尺状開封具２２の上記一方の端部は、水密容器１８の外側表面の手前側、水袋２１の手前側、あるいは弁当箱１０の箱体１２の手前側に固定されていてもよい。
【００３０】
本発明の発熱具の長尺状開封具としては、従来の発熱具と同様に紐状のものを用いることもできるが、図１に示すようにテープ状の開封具（長尺状開封具）２２を用いることが好ましい。テープ状の開封具２２を用いることにより、図５に示すように開封具２２を引っ張った際に水密容器１８の水不透性フィルム１７が大きく開口して水袋２１の水２０が水密容器に流れ込み易くなると共に、この開口からより多くの水蒸気を外部に放出させることができるようになるために、発熱具による短時間での加温能力を高くすることができるからである。
【００３１】
また、図１に示すように、テープ状の開封具２２の表面には、文字及び／又は符号からなるメッセージ（図１に示す開封具２２の場合には「まいどありがとうございます」）が表示されていることが好ましい。
【００３２】
開封具２２にメッセージが表示されていると、使用者が食前に弁当を加温するために図６に示す弁当箱１０の箱体１２の外部に突き出された開封具２２の端部を引っ張ると、先ず使用者は図７に示すようにメッセージの一部分を確認できるようになり、そして更に開封具の端部を引っ張ると図８に示すようにメッセージの更に多くの部分を確認できるようになる。
【００３３】
従来の弁当箱が備える長尺状開封具は、使用者が食前に弁当を温める目的にのみ用いられている。ところが、このように長尺状開封具２２を、文字及び／又は符号からなるメッセージが表示されたテープ状の開封具から構成することにより、開封具２２を、使用者に弁当の食前、食中、そして食後にメッセージを伝える情報伝達媒体として用いることが可能になる。
【００３４】
例えば、駅弁などの弁当を入れた弁当箱の使用者は、弁当が加温される迄の間、弁当の食中及び食後に比較的に時間的なゆとりを持っており、そして弁当を加温するためにテープ状の開封具２２を見ながら引っ張るため、図７に示すように開封具２２に表示された文字（メッセージの一部分）を見た場合に、何が表示されているのか注目して非常に高い関心を示す。このため、メッセージが表示されたテープ状の開封具２２は、非常に高い情報伝達性を有しており、使用者に有効にメッセージを伝達することができる。
【００３５】
このようなテープ状の開封具２２に表示するメッセージの例を、以下に記載する。
（１）図１の弁当箱１０のテープ状の開封具２２のように「まいどありがとうございます。」のような使用者（弁当の購入者）に対するお礼、あるいは格言やことわざなどの短い文章を表示する。
（２）図９の弁当箱９０のテープ状の開封具９２のように「お弁当の○○社」あるいは「タクシーのご用命は○○社へ」のような広告を電話番号と共に表示する。
（３）「当たり」もしくは「はずれ」などを表示して、開封具に籤の機能を持たせて、使用者の弁当箱の開封具に「当たり」が表示されていたら景品を渡す。あるいは「本日の運勢は○○」と表示して、開封具に占いの機能を持たせる。このような開封具による籤や占いによって、弁当箱の使用者に食前から食後までの時間に楽しみを与えることができる。
【００３６】
テープ状の開封具２２は３乃至４０ｍｍの範囲の幅を有することが好ましい。テープ状の開封具の幅が３ｍｍ未満であると開封具を引っ張った場合に形成される水不透性フィルムの開口が小さくなり、この開口から水不透性容器の内部に流れ込む水の量が少なくなるために発熱具の短時間での加温能力が低下する傾向にあり、また開封具の表面に表示できる文字のサイズが小さくなり過ぎるからである。その一方で、テープ状の開封具の幅が４０ｍｍを超えると、使用者が開封具を引っ張る際に、開封具に皺あるいは折れ重なりが生じて開封具を引っ張り難くなり、また弁当を食べる際に開封具が邪魔になる場合があるからである。テープ状の開封具の先端部に、予め粘着剤と離型紙とを付設しておくと、箱体から引き出された開封具を、例えば、箱体の側面に沿わせて配置して粘着剤によりその先端部にて固定しておくことができるので、食事中に開封具が邪魔にならないようにすることができ、また食事中に開封具をその表面に表示されたメッセージが読み易い状態にて配置しておくことができるようになる。
【００３７】
テープ状の開封具２２は、ポリプロピレン樹脂フィルムやポリエステルフィルム（例、ポリエチレンテレフタレート樹脂フィルム）などの樹脂フィルムあるいは合成紙から形成されていることが好ましい。
【００３８】
以下に、弁当箱１０及びその発熱具１３の詳細について記載する。
【００３９】
図１の弁当箱１０の箱体１２、食品トレイ１４及び蓋体１５の各々は、例えば、ポリスチレン樹脂から形成される。これらの各々の材料としては、上記のポリスチレン樹脂の他に、ポリエチレン樹脂やポリプロピレン樹脂に代表される樹脂材料が挙げられる。箱体１２は、発熱剤１３が発生した熱を外部に逃がさないようにするため、また加温された弁当の保温性が良好になることから発泡樹脂から形成されていることが好ましい。また、箱体１２、食品トレイ１４及び蓋体１５の各々は、耐水加工の施された厚紙や段ボールシートなどの紙材（例、表面にアルミニウム箔、樹脂フィルムあるいは発泡紙が貼り付けられた紙材）から形成することもできる。
【００４０】
また、図１に示すように箱体１２の長尺状開封具２２を通すための孔部１１は、箱体の手前側の壁体の上辺より切り込まれた切り込みであることが好ましい。このように箱体１２の壁体の上端にまで達する孔部１１が備えられていると、箱体１２の底部に発熱具１３を収容した後に、孔部１１に箱体１２の壁体の上端から長尺状開封具２２を差し込んで通すことができるため、箱体１２に発熱具１３を組み込む作業が容易となる。また、このような形状の孔部１１は、箱体１２の壁体を一枚のシートから筒状に折り曲げて組み立てる際に、孔部１１の位置にてシートの両端を突き合わせて接触させ、この接触部の箱体の下側となる一部分のみを接着することで形成することができる。これにより孔部１１を有する箱体１２を簡単に作製することができるようになる。
【００４１】
上記のように、本発明の発熱具１３を用いることにより、長尺状開封具２２により引き裂かれて形成された水密容器１８の水不透性フィルム１７の開口から多量の水蒸気を放出させることができる。このような水蒸気を有効に利用して弁当を加温する場合には、図１に示すように食品トレイ１４の底部に多数の水蒸気透過性孔部２４ａ、２４ｂが形成されていることが好ましい。
【００４２】
食品トレイ１４の底部に横方向に一列に並んだ状態で形成されている複数の水蒸気透過性孔部２４ｂは、発熱具１３が発生した水蒸気を食品トレイに入れた弁当（例、御飯やおかず）の上方に導く機能を有しており、弁当を十分に加温するために有効なものである。
【００４３】
また、蓋体１５の上面に形成された水蒸気排出口１５ａは、水蒸気透過性孔部２４ｂによって弁当の上方に導かれた水蒸気に排出口１５ａに向かう流れを生じさせるものであり、これにより弁当の上方には次々と高温の蒸気が導かれるようになるため、弁当をより効果的に加温することができるようになる。
【００４４】
図１に示す発熱具１３の水密容器１８の容器本体１８ａは、例えば、ポリエチレン樹脂、ポリプロピレン樹脂、ポリスチレン樹脂、ポリカーボネート樹脂もしくはポリ塩化ビニル樹脂などの樹脂材料、あるいは金属材料などから形成され、通常は樹脂材料から形成される。発熱剤と水との接触により発生した熱を弁当箱１０の箱体１２の側に逃がさないようにするために、容器本体１８ａを発泡樹脂から形成することも好ましい。
【００４５】
そして図１に示す水密容器１８の水不透性フィルム１７としては、易引裂性及び水不透性を示すアルミニウム箔が用いられている。なお、易引裂性とは、使用者が長尺状開封具２２を引っ張ることにより水不透性フィルム１７を引き裂き可能であることを意味しており、図２に示すように引き裂きを補助する切り込み１７ａが設けられた状態にて引裂き可能であることも含まれる。また、水不透性とは、水袋２１から水が漏れた場合に、この水が水不透性フィルム１７を通して水密容器１８の内部に侵入しない程度の透水性を有していることを意味している。
【００４６】
水不透性フィルム１７の例としては、樹脂フィルム及び金属フィルム（金属箔）が挙げられる。樹脂フィルムの例としては、ポリエチレン樹脂フィルム、ポリプロピレン樹脂フ、およびポリ塩化ビニル樹脂フィルムが挙げられる。金属フィルム（金属箔）の代表例としては、アルミニウム箔が挙げられる。水不透性フィルムとしては、優れた易引裂性及び水不透性を示すことから金属箔、特にアルミニウム箔を用いることが好ましい。
【００４７】
水不透性フィルム１７は、容器本体１８ａの上端面に、例えば、接着剤あるいは熱融着により固定される。水不透性フィルム１７としてアルミニウム箔を用い、これを熱融着により容器本体１８ａの上端面に固定する場合には、アルミニウム箔の容器本体１８ａの側の表面に樹脂層が備えられていてもよい。また、容器本体の上端周縁に外側へと広がる鍔部が形成されていると、水不透性フィルムを容器本体の上端面に重ね、水不透性フィルムと鍔部とを加圧そして加熱して熱融着することができるようになるため、熱融着の際の加圧による容器本体の破損を防止することができる。
【００４８】
水袋２１の易引裂性袋体１９は、上記の水不透性フィルム１７と同様に樹脂フィルムや金属フィルム（金属箔）から形成される。また、易引裂性袋体１９には、長尺状開封具２２による引き裂きを補助する切り込み１９ａが設けられていてもよい。
【００４９】
この水袋２１の易引裂性袋体１９と水不透性フィルム１７との接合方法に特に制限は無く、両者を、長尺状開封具２２により開封される部位以外の位置にて、例えば、ガムテープなどによって互いに接合することもできる。両者の接合は、図１に示すように長尺状開封具２２に近接並行して配置された両面接着テープ２３による接着によりなされていることが好ましい。これにより、長尺状開封具２２を引っ張った際に水袋２１が水不透性フィルム１７から浮き上がり難くなり、水袋を更に確実に引き裂くことができるようになるからである。
【００５０】
なお、水密容器１８の内部に封入する発熱剤１６としては公知のもの、例えば、生石灰粉末、特に好ましくは生石灰粉末とアルミニウム粉末との混合物などを用いることができる。生石灰粉末とアルミニウム粉末との混合物からなる発熱剤は、例えば、特開２００１−２２６６６８号公報に詳細に記載されている。
【００５１】
また、弁当箱１０の箱体１２とその底部に収容される発熱具１３との間に、発熱具１３にて発生した熱を箱体１２の底部の側に伝え難くするための断熱材（例、段ボールシート）、あるいは発熱具１３の水袋２１を開封した際に箱体１２の底部に僅かに流れ落ちる水を吸水するための吸水材（例、シート状のスポンジや段ボールシート）を配置することもできる。
【００５２】
図９は、本発明の発熱具を備えた弁当箱の別の構成例を示す斜視図である。図９の弁当箱９０の構成は、孔部９１が箱体１２の壁体に横方向に伸びる透孔として形成されていること、そしてテープ状の開封具９２の表面に表示されているメッセージが異なること以外は図１の弁当箱１０と同様である。このように箱体１２の孔部９１は、箱体１２の壁体に形成された透孔であってもよい。
【００５３】
図１０は、本発明の発熱具の別の構成例を示す斜視図であり、そして図１１は、図１０に記入した切断線XI−XI線に沿って切断した発熱具１１３の断面図である。
【００５４】
図１０及び図１１に示す発熱具１１３の構成は、水密容器１１８の全体が水不透性フィルム１１７から形成されていること以外は図２及び図３に示す発熱具１３と同様である。このように、水密容器１１８として、その全体が水不透性フィルムから形成された袋体を用いることもできる。
【００５５】
発熱具１１３は、その水密容器１１８の底面の全体を弁当箱の箱体の底面に接合固定して使用するか、例えば、図１１に示すように水密容器１１８の内部に発熱剤トレイ１１９を収容した状態で箱体の底面に配置して使用される。これは、長尺状開封具２２を引っ張った際に水密容器（水不透性フィルムから形成された袋体）が歪むと、その上面の水不透性フィルム１１７及び水袋２１の引き裂きが難しくなるからである。また、水密容器１１８の上面の水不透性フィルム１１７には、テープ状の開封具２２による引き裂きを補助する切り込み１１７ａが形成されており、この切り込み１１７ａは、水不透性フィルム１１７の表面に接着剤２５ｂで固定された開封具２２により封止されている。
【００５６】
前記の図２及び図３に示す発熱具１３は、その水密容器１８の容器本体１８ａとして樹脂成形品を用いる場合には、成形用の金型を用意する必要がある。図１０及び図１１に示す発熱具１１３は、その作製に金型を用いる必要が無いために、その製造コストが低いという利点を有している。なお、発熱具１１３は、その水密容器１１８の内部に発熱剤トレイ１１９を収容する場合でも、発熱剤トレイとして、例えば、安価な汎用のポリスチレン樹脂製の食品用トレイを用いることができる。
【００５７】
本発明の発熱具を備えた弁当箱を、駅弁、仕出し弁当、コンビニエンスストア等で販売される持ち帰り用の弁当、あるいは災害の際に被災者に提供される弁当の弁当箱として用いることにより、使用者に温かい弁当を安定に提供することができるようになる。
【図面の簡単な説明】
【００５８】
【図１】本発明の発熱具を備えた弁当箱の構成例を示す分解斜視図である。
【図２】図１の弁当箱１０が備える発熱具１３の斜視図である。
【図３】図２に記入した切断線III−III線に沿って切断した発熱具１３の断面図である。
【図４】図２の発熱具１３の動作を説明する図である。
【図５】図２の発熱具１３の動作を説明する別の図である。
【図６】図１の弁当箱１０の使用方法を説明する図である。
【図７】図１の弁当箱１０の使用方法を説明する別の図である。
【図８】図１の弁当箱１０の使用方法を説明する更に別の図である。
【図９】本発明の発熱具を備えた弁当箱の別の構成例を示す斜視図である。
【図１０】本発明の発熱具の別の構成例を示す斜視図である。
【図１１】図１０に記入した切断線XI−XI線に沿って切断した発熱具１１３の断面図である。
【符号の説明】
【００５９】
１０  発熱具を備えた弁当箱
１１  孔部
１２  箱体
１３  発熱具
１４  食品トレイ
１５  蓋体
１５ａ  水蒸気排出口
１６  発熱剤
１６ａ  水透過性袋体
１７  水不透性フィルム
１７ａ  切り込み
１８  水密容器
１８ａ  容器本体
１９  易引裂性袋体
１９ａ  切り込み
２０  水
２１  水袋
２２  長尺状開封具
２３  両面接着テープ
２４ａ、２４ｂ  水蒸気透過性孔部
２５ａ、２５ｂ  接着剤
９０  発熱具を備えた弁当箱
９１  孔部
９２  長尺状開封具
１１３  発熱具
１１７  水不透性フィルム
１１７ａ  切り込み部
１１８  水密容器
１１９  発熱剤トレイ                                                                                
【図１】
2007259966.tif 000003
【図２】
2007259966.tif 000004
【図３】
2007259966.tif 000005
【図４】
2007259966.tif 000006
【図５】
2007259966.tif 000007
【図６】
2007259966.tif 000008
【図７】
2007259966.tif 000009
【図８】
2007259966.tif 000010
【図９】
2007259966.tif 000011
【図１０】
2007259966.tif 000012
【図１１】
2007259966.tif 000013